(57)【要約】【課題】  フィールド機器の誤操作を抑制できるフィールド機器システムを提供する。【解決手段】  複数のフィールド機器が接続されるネットワークと信号の授受を行うハンドヘルドターミナルを備えたフィールド機器システムにおいて、前記ハンドヘルドターミナルの固有の情報または入力されたユーザＩＤに基づき、そのハンドヘルドターミナルの前記フィールド機器に対する権限を設定する認証手段を備えたことを特徴とするフィールド機器システム。【選択図】                    図１
2007026020.tif 000002
【特許請求の範囲】
【請求項１】
複数のフィールド機器が接続されるネットワークと信号の授受を行うハンドヘルドターミナルを備えたフィールド機器システムにおいて、
前記ハンドヘルドターミナルの固有の情報または入力されたユーザＩＤに基づき、そのハンドヘルドターミナルの前記フィールド機器に対する権限を設定する認証手段を備えたことを特徴とするフィールド機器システム。
【請求項２】
前記ハンドヘルドターミナルは、無線で前記ネットワークに接続されることを特徴とする請求項１記載のフィールド機器システム。
【請求項３】
前記認証手段と前記フィールド機器とが一体に形成されたことを特徴とする請求項１記載のフィールド機器システム。
【請求項４】
前記ハンドヘルドターミナルは前記認証手段の設定に基づき操作機能が変更され、
前記フィールド機器は前記認証手段の設定に基づき操作機能が変更される
ことを特徴とする請求項１記載のフィールド機器システム。
【発明の詳細な説明】
【技術分野】
【０００１】
本発明は、フィールド機器システムに関し、詳しくは、プラント等の物理量を測定し伝送する伝送器その他または制御用コントローラ等からの信号に基づき動作するアクチュエータその他のフィールド機器を備えるフィールド機器システムに関し、特に、ハンドヘルドターミナル（ＨＨＴ）を備えたフィールド機器システムに関する。
【背景技術】
【０００２】
従来のフィールド機器システムには、ハンドヘルドターミナルを備えるものもある（例えば、特許文献１参照）。また、認証手段を有する機器もある（例えば、特許文献２参照）。
【０００３】
以下に、従来のフィールド機器システムを説明する。図２は、従来のフィールド機器システムを示す構成図である。
【０００４】
同図において、ネットワークＮＥＴには、フィールド機器である伝送器Ａが接続され、フィールド機器であるバルブＢが接続される。さらに、ネットワークＮＥＴには、制御用コントローラＣが接続される。また、ハンドヘルドターミナルＨＨＴ１はネットワークＮＥＴに接続され、ハンドヘルドターミナルＨＨＴ１及びハンドヘルドターミナルＨＨＴ２はネットワークＮＥＴに接続される。さらに、ネットワークＮＥＴには、負荷（図示せず）、電源（図示せず）等の機器が接続される。そして、ハンドヘルドターミナルＨＨＴ１及びハンドヘルドターミナルＨＨＴ２はネットワークＮＥＴと信号の授受を行う。
【０００５】
このように構成された図２の従来例の動作を説明する。
伝送器Ａは、プロセス現場において物理量を検出してこれを電気信号に変換し、ネットワークＮＥＴを介して、制御用コントローラＣに伝送する。また、バルブＢは、制御用コントローラＣから、ネットワークＮＥＴを介して、伝送される電気信号によって、制御される。
【０００６】
また、ハンドヘルドターミナルＨＨＴ１は、例えば伝送器Ａの測定レンジを、ネットワークＮＥＴを介して操作する。さらにまた、ハンドヘルドターミナルＨＨＴ１は、例えば伝送器Ａが伝送する信号を、ネットワークＮＥＴを介してモニタする。
【０００７】
さらに、ハンドヘルドターミナルＨＨＴ１は、例えばバルブＢの動作レンジを、ネットワークＮＥＴを介して操作する。さらにまた、ハンドヘルドターミナルＨＨＴ１は、例えばバルブＢに伝送される信号を、ネットワークＮＥＴを介してモニタする。
【０００８】
同様に、ハンドヘルドターミナルＨＨＴ２は、例えば伝送器Ａの測定レンジを、ネットワークＮＥＴを介して操作する。さらにまた、ハンドヘルドターミナルＨＨＴ２は、例えば伝送器Ａが伝送する信号を、ネットワークＮＥＴを介してモニタする。
【０００９】
さらに、ハンドヘルドターミナルＨＨＴ２は、例えばバルブＢの動作レンジを、ネットワークＮＥＴを介して操作する。さらにまた、ハンドヘルドターミナルＨＨＴ２は、例えばバルブＢに伝送される信号を、ネットワークＮＥＴを介してモニタする。
【特許文献１】特開平７−９８７１５号公報
【特許文献２】特開２００５−３８４１１号公報
【発明の開示】
【発明が解決しようとする課題】
【００１０】
しかしながら、ハンドヘルドターミナルＨＨＴ１で伝送器Ａの測定レンジを操作する際に、誤ってバルブＢの動作レンジを操作してしまうことがあるという課題がある。つまり、フィールド機器を誤操作する可能性があるという課題がある。
【００１１】
特に、ハンドヘルドターミナルＨＨＴ１及びハンドヘルドターミナルＨＨＴ２が無線等によってネットワークＮＥＴに接続される場合、部外者等の第三者がフィールド機器を誤操作する可能性があるという課題がある。
【００１２】
本発明の目的は、以上説明した課題を解決するものであり、フィールド機器の誤操作を抑制できるフィールド機器システムを提供することにある。
【課題を解決するための手段】
【００１３】
このような目的を達成する本発明は、次の通りである。
（１）複数のフィールド機器が接続されるネットワークと信号の授受を行うハンドヘルドターミナルを備えたフィールド機器システムにおいて、前記ハンドヘルドターミナルの固有の情報または入力されたユーザＩＤに基づき、そのハンドヘルドターミナルの前記フィールド機器に対する権限を設定する認証手段を備えたことを特徴とするフィールド機器システム。
（２）前記ハンドヘルドターミナルは、無線で前記ネットワークに接続されることを特徴とする（１）記載のフィールド機器システム。
（３）前記認証手段と前記フィールド機器とが一体に形成されたことを特徴とする（１）記載のフィールド機器システム。
（４）前記ハンドヘルドターミナルは前記認証手段の設定に基づき操作機能が変更され、前記フィールド機器は前記認証手段の設定に基づき操作機能が変更されることを特徴とする（１）記載のフィールド機器システム。
【発明の効果】
【００１４】
本発明によれば次のような効果がある。
本発明によれば、フィールド機器の誤操作を抑制できるフィールド機器システムを提供できる。また、安全性の高いフィールド機器システムを簡便に提供できる。詳しくは、第三者によるフィールド機器の誤操作を抑制できる。さらに、ハンドヘルドターミナルの操作をフィールド機器の現場から離れたリモートで行うときの誤動作を抑制できる。
【００１５】
また、特に、ハンドヘルドターミナルが無線等によってネットワークに接続される場合、部外者等の第三者がフィールド機器を誤操作できないようにできる。即ち、通信傍受を抑制できる。
【発明を実施するための最良の形態】
【００１６】
以下に図１に基づいて本発明を詳細に説明する。図１は、本発明の一実施例を示す構成図である。図２の従来例と同一の要素には同一符号を付し、説明を省略する。
【００１７】
図１の実施例の特徴は、認証手段Ｄに係る構成にある。図１の実施例において、認証手段Ｄは、ネットワークＮＥＴに接続される。
【００１８】
また、認証手段Ｄは、例えばハンドヘルドターミナルＨＨＴ１の情報、ハンドヘルドターミナルＨＨＴ２の情報、ユーザの情報、操作の権限の情報等を、内部の不揮発性メモリ（図示せず）に格納する。さらに、不揮発性メモリは、例えばＥＥＰＲＯＭまたはＦｌａｓｈＲＯＭで形成される。また、ネットワークＮＥＴに接続された特定のコンピュータ（図示せず）等は、認証手段Ｄの不揮発性メモリの内容の書き込みを実施し、これを管理する。
【００１９】
さらに、認証手段Ｄは、例えばハンドヘルドターミナルＨＨＴ１が伝送器Ａにログインできないようにすると共に、測定レンジを操作できないようにする。
【００２０】
また、認証手段Ｄは、ハンドヘルドターミナルＨＨＴ１がバルブＢにログインできるようにすると共に、動作レンジを操作できるようにする。
【００２１】
詳しくは、ハンドヘルドターミナルＨＨＴ１は、ハンドヘルドターミナルＨＨＴ１のシリアル番号、ユーザのアカウント（ユーザＩＤ）、パスワードを、ネットワークＮＥＴに出力する。
【００２２】
そして、認証手段Ｄは、ハンドヘルドターミナルＨＨＴ１に、伝送器Ａの操作ができない旨を通知し、バルブＢの操作ができる旨の通知をする。
【００２３】
これにより、ハンドヘルドターミナルＨＨＴ１は、伝送器Ａの操作はできないが、バルブＢの操作ができるように設定される。さらに、伝送器Ａは、ハンドヘルドターミナルＨＨＴ１からの操作指令を無視するように設定される。また、バルブＢは、ハンドヘルドターミナルＨＨＴ１からの操作指令を実行するように設定される。
【００２４】
同様に、認証手段Ｄは、例えばハンドヘルドターミナルＨＨＴ２が伝送器Ａにログインできるようにすると共に、測定レンジを操作できるようにする。
【００２５】
また、認証手段Ｄは、ハンドヘルドターミナルＨＨＴ２がバルブＢにログインできないようにすると共に、バルブＢの動作レンジを操作できないようにする。
【００２６】
詳しくは、ハンドヘルドターミナルＨＨＴ２は、ハンドヘルドターミナルＨＨＴ２のシリアル番号、ユーザのアカウント、パスワードを、ネットワークＮＥＴに出力する。
【００２７】
そして、認証手段Ｄは、ハンドヘルドターミナルＨＨＴ２に、伝送器Ａの操作はできるが、バルブＢの操作ができない旨の通知をする。
【００２８】
これにより、ハンドヘルドターミナルＨＨＴ２は、伝送器Ａの操作ができるように設定され、バルブＢの操作ができないように設定される。さらに、伝送器ＡはハンドヘルドターミナルＨＨＴ２からの操作指令を実行するように設定される。バルブＢはハンドヘルドターミナルＨＨＴ２からの操作指令を無視するように設定される。
【００２９】
したがって、伝送器Ａは特定のハンドヘルドターミナルＨＨＴ２からのみ操作できる。また、バルブＢは特定のハンドヘルドターミナルＨＨＴ１からのみ操作できる。
【００３０】
このようにして、認証手段Ｄは、ハンドヘルドターミナルＨＨＴ１及びハンドヘルドターミナルＨＨＴ２の固有の情報または入力されたユーザＩＤに基づき、ハンドヘルドターミナルＨＨＴ１及びハンドヘルドターミナルＨＨＴ２それぞれの伝送器Ａ及びバルブＢ（フィールド機器）に対する権限を設定する。
【００３１】
さらに、ハンドヘルドターミナルＨＨＴ１及びハンドヘルドターミナルＨＨＴ２は、認証手段Ｄの設定に基づき、操作機能が変更される。さらにまた、伝送器Ａ及びバルブＢ（フィールド機器）は、認証手段Ｄの設定に基づき、操作機能が変更される。
【００３２】
また、伝送器Ａ及びバルブＢは、特定のユーザのアカウント及びパスワードの入力があった場合のみ操作可能となる。
【００３３】
詳しくは、例えば、管理者は書き込みの操作及び読み込みの操作が共にできるようにし、オペレータは書き込みの操作ができず読み込みの操作ができるようにし、作業員は一部分の書き込みの操作のみできるようにし読み込みの操作ができるようにし、その他の登録されていない者は書き込みの操作及び読み込みの操作が共にできないようにする。
【００３４】
よって、図１の実施例は、フィールド機器の誤操作を抑制できる。そして、図１の実施例の安全性は高くなる。
【００３５】
また、上述の実施例において、ユーザＩＤ、パスワード等の通信に際して、暗号化を施すようにすると、第三者からの傍受を抑制できる。そして、この場合の構成は図１の実施例の構成と実質的に同等となり、同等の作用効果がある。
【００３６】
さらに、上述の実施例において、認証手段Ｄがフィールド機器の状態に基づき操作の権限を変更するようにすると、例えば、フィールド機器の状態をフィールド機器がモニタ中の状態またはメンテナンス状態のときに、特定の作業員以外からの操作を抑制できる。そして、稼働中の誤動作を抑制できる。
【００３７】
また、上述の実施例において、認証手段Ｄと伝送器Ａとを一体のハードウエアで形成しても、実質的に同等の構成となり、同等の作用効果がある。さらにまた、上述の実施例において、認証手段Ｄと制御用コントローラＣとを一体のハードウエアで形成しても、実質的に同等の構成となり、同等の作用効果がある。
【００３８】
さらに、上述の実施例において、認証手段Ｄの一部と伝送器Ａとを一体のハードウエアで形成し、認証手段Ｄの一部と制御用コントローラＣとを一体のハードウエアで形成しても、実質的に同等の構成となり、同等の作用効果がある。
【００３９】
また、上述の実施例はハンドヘルドターミナルＨＨＴ１及びハンドヘルドターミナルＨＨＴ２を備えるものであったが、これとは別に、ハンドヘルドターミナルＨＨＴ１及びハンドヘルドターミナルＨＨＴ２に準じた機器を備えるものであっても、実質的に同等の構成となり、同等の作用効果がある。
【００４０】
以上のように、本発明は、前述の実施例に限定されることなく、その本質を逸脱しない範囲でさらに多くの変形を含むものである。
【図面の簡単な説明】
【００４１】
【図１】本発明の一実施例を示す構成図である。
【図２】従来のフィールド機器システムを示す構成図である。
【符号の説明】
【００４２】
Ａ  伝送器（フィールド機器）
Ｂ  バルブ（フィールド機器）
Ｃ  制御用コントローラ
Ｄ  認証手段
ＮＥＴ  ネットワーク
ＨＨＴ１，ＨＨＴ２  ハンドヘルドターミナル
【図１】
2007026020.tif 000003
【図２】
2007026020.tif 000004